(57)【特許請求の範囲】
【請求項１】
フルオレセインナトリウムを付着させたフルオレセインナトリウム染色紙を先端付近に貼り付けた疎水性のシートを、前記貼付部分を下にし、前記先端と後端を交互にして複数枚を積層した積層体と、前記積層するために、各前記シートの前記先端付近の前記貼付部分から、使用中に瞼に接触しうる距離以上離れた位置に所定幅だけ塗布した剥離可能な接着剤と、前記積層体を収納する遮光性の容器と、この容器の上面中央に設けられ、前記シートを次のシートと接着した状態で引き出せる隙間と、を有することを特徴とするフルオレセインナトリウム染色紙繰出装置。
【請求項２】
先端付近にフルオレセインナトリウムを付着させたフルオレセインナトリウム染色紙を、前記先端と後端を交互にして複数枚を積層した積層体と、前記積層するために、各前記フルオレセインナトリウム染色紙の前記先端付近の前記付着部分から、使用中に涙液が滲み込んで到達する距離以上離れた位置に所定幅だけ塗布した剥離可能な接着剤と、前記積層体を収納する遮光性の容器と、この容器の上面中央に設けられ、前記フルオレセインナトリウム染色紙を次の前記フルオレセインナトリウム染色紙と接着した状態で引き出せる隙間と、を有することを特徴とするフルオレセインナトリウム染色紙繰出装置。
【請求項３】
前記接着剤は、人体に無害の成分からなることを特徴とする請求項１、２、又は３に記載のフルオレセインナトリウム染色紙繰出装置。
【請求項４】
フルオレセインナトリウムを付着させたフルオレセインナトリウム染色紙を先端付近に貼り付けた疎水性のシートを、前記貼付部分を下にし、前記先端と後端を交互にして複数枚を積層した積層体と、前記積層するために、各前記シートの前記先端付近の前記貼付部分から、離れた位置に所定幅だけ塗布した人体に無害の成分からなる剥離可能な接着剤と、前記積層体を収納する遮光性の容器と、この容器の上面中央に設けられ、前記シートを次のシートと接着した状態で引き出せる隙間と、を有することを特徴とするフルオレセインナトリウム染色紙繰出装置。
【請求項５】
先端付近にフルオレセインナトリウムを付着させたフルオレセインナトリウム染色紙を、前記先端と後端を交互にして複数枚を積層した積層体と、前記積層するために、各前記フルオレセインナトリウム染色紙の前記先端付近の前記付着部分から、離れた位置に所定幅だけ塗布した人体に無害の成分からなる剥離可能な接着剤と、前記積層体を収納する遮光性の容器と、この容器の上面中央に設けられ、前記フルオレセインナトリウム染色紙を次の前記フルオレセインナトリウム染色紙と接着した状態で引き出せる隙間と、を有することを特徴とするフルオレセインナトリウム染色紙繰出装置。
【請求項６】
前記遮光性の容器は、外部から前記上面中央の隙間への埃の侵入を防げる開閉蓋を有することを特徴とする請求項１、又は２に記載のフルオレセインナトリウム染色紙繰出装置。
【発明の詳細な説明】
【０００１】
【発明の属する技術分野】
この発明は、病院の眼科などで用いるフルオレセインナトリウム染色紙を一枚ずつ繰出せる装置に関する。
【０００２】
【従来の技術】
病院の眼科などではフルオレセインナトリウムを付着させたフルオレセインナトリウム染色紙を下眼瞼結膜等の付近に接触させ、角・結膜疾患等の診断を行う。例えば、患者の下眼瞼をひっくり返し、ここに同染色紙をそっと貼付け、自然に染色液が紙から溶け出て患部を染色し、角・結膜疾患等の診断を行うことができる。
【０００３】
このフルオレセインナトリウム染色紙（以下、フルオ紙という）は、通常遮光性のプラスチック瓶に入れられ、ネジ式の蓋を開閉して、１枚ずつ取り出して使用するものである。
また、このフルオ紙とは利用分野が全く異なるものの、同じく四角形の小さな紙からなる付箋紙を、一枚ずつ取り出す技術は、特開平８−１９２８７６、特開平８−１８３５７３、実用新案登録第３０７１５８５などに記載される。
すなわち先端側に剥離可能な接着剤を塗布した付箋紙を、先端と後端を交互にして複数枚を積層し、この積層体を収納箱に収納し、この収納箱の上面中央に隙間を設け、一枚の付箋紙の後端側を引っ張って取り出すと、この付箋紙の先端側に接着した状態で次の付箋紙の後端側が引き出され、このようにして順次、一枚ずつの付箋紙が取り出されるものであった。
【０００４】
【発明が解決しようとする課題】
しかしながら、フルオ紙を遮光性のプラスチック瓶からネジ式の蓋を開いて１枚ずつ取り出す作業は、面倒であり、また誤って２〜３枚が重なって一度に取れてしまうことが多々あった。複数枚で使用しても、フルオレセインナトリウムによる患部の染色が過蛍光となり正確な診断が行えないので、結局その中の一枚だけ使用している。残りは、一度手に触れたものであり、再び瓶の中に戻す行為は不潔操作となり、もし行った場合は瓶中の残りのすべてのフルオ紙が不潔・汚染されることになり、すべて破棄しなくてはならない。このため複数枚の残り染色紙は従来、捨ててしまうしかなく不経済である。
【０００５】
また、前記付箋紙の技術を、そのままフルオ紙に利用しようとすると、フルオレセインナトリウムを付着させる場所がなく、また有害な接着剤が涙液に溶け出し角・結膜障害等をおこす可能性があり、使用できないものであった。
この発明は、以上の課題を解決するためになされたもので、フルオ紙を一枚ずつ取り出す作業が容易で、重なって取れてしまうことを防止でき、付箋紙の技術を利用でき、有害な接着剤が涙液に溶け出す可能性を問題がない程度までに低くでき、あるいは可能性を無くすことができるフルオレセインナトリウム染色紙繰出装置を提供することを目的とする。
【０００６】
【課題を解決するための手段】
以上の課題を解決するために、第一発明は、フルオレセインナトリウムを付着させたフルオレセインナトリウム染色紙を先端付近に貼り付けた疎水性のシートを、前記貼付部分を下にし、前記先端と後端を交互にして複数枚を積層した積層体と、前記積層するために、各前記シートの前記先端付近の前記貼付部分から、使用中に瞼に接触しうる距離以上離れた位置に所定幅だけ塗布した剥離可能な接着剤と、前記積層体を収納する遮光性の容器と、この容器の上面中央に設けられ、前記シートを次のシートと接着した状態で引き出せる隙間と、を有することを特徴とするフルオレセインナトリウム染色紙繰出装置である。
【０００７】
第二発明は、先端付近にフルオレセインナトリウムを付着させたフルオレセインナトリウム染色紙を、前記先端と後端を交互にして複数枚を積層した積層体と、前記積層するために、各前記フルオレセインナトリウム染色紙の前記先端付近の前記付着部分から、使用中に涙液が滲み込んで到達する距離以上離れた位置に所定幅だけ塗布した剥離可能な接着剤と、前記積層体を収納する遮光性の容器と、この容器の上面中央に設けられ、前記フルオレセインナトリウム染色紙を次の前記フルオレセインナトリウム染色紙と接着した状態で引き出せる隙間と、を有することを特徴とするフルオレセインナトリウム染色紙繰出装置である。
第三発明は、さらに、前記接着剤は、人体に無害の成分からなることを特徴とするフルオレセインナトリウム染色紙繰出装置である。
【０００８】
第四発明は、フルオレセインナトリウムを付着させたフルオレセインナトリウム染色紙を先端付近に貼り付けた疎水性のシートを、前記貼付部分を下にし、前記先端と後端を交互にして複数枚を積層した積層体と、前記積層するために、各前記シートの前記先端付近の前記貼付部分から、離れた位置に所定幅だけ塗布した人体に無害の成分からなる剥離可能な接着剤と、前記積層体を収納する遮光性の容器と、この容器の上面中央に設けられ、前記シートを次のシートと接着した状態で引き出せる隙間と、を有することを特徴とするフルオレセインナトリウム染色紙繰出装置である。
【０００９】
第五発明は、先端付近にフルオレセインナトリウムを付着させたフルオレセインナトリウム染色紙を、前記先端と後端を交互にして複数枚を積層した積層体と、前記積層するために、各前記フルオレセインナトリウム染色紙の前記先端付近の前記付着部分から、離れた位置に所定幅だけ塗布した人体に無害の成分からなる剥離可能な接着剤と、前記積層体を収納する遮光性の容器と、この容器の上面中央に設けられ、前記フルオレセインナトリウム染色紙を次の前記フルオレセインナトリウム染色紙と接着した状態で引き出せる隙間と、を有することを特徴とするフルオレセインナトリウム染色紙繰出装置。
【００１０】
第六発明は、さらに、前記遮光性の容器は、外部から前記上面中央の隙間への埃の侵入を防げる開閉蓋を有することを特徴とするフルオレセインナトリウム染色紙繰出装置である。
【００１１】
【発明の実施の形態】
この発明の実施の形態を、図１（Ａ）（Ｂ）、及び図２に示す。
図１（Ａ）に示す積層体１は、図１（Ｂ）に示すシート３によって構成される。各シート３は、プラスチック製の細長い四角形で、先端付近に、フルオレセインナトリウムを付着させた小さなフルオレセインナトリウム染色紙５を貼り付ける。各シート３を、染色紙５の貼付部分を下にし、先端と後端を交互にして複数枚を積層させる。この積層をするために、各シート３の貼付部分から後端方向へ、使用中に瞼に接触しうる距離７以上離れた位置に所定幅だけ剥離可能な接着剤９を塗布する。貼付部分の接着剤５Ａおよび積層のための接着剤９は、人体に無害の成分からなるものが使用される。
前記距離７は例えば１４ｍｍとする。その理由は、角膜下方下縁から下方眼球結膜―下眼瞼結膜への折り返し部分（下方結膜円蓋部）まで約８ｍｍあり、また角膜縦径は１０〜１１ｍｍあり、このことから角膜下方下縁から下方眼球結膜―下眼瞼結膜への折り返し部分と角膜縦径下半分の合計が約１４ｍｍであり、よって１４ｍｍ以上であれば、接着剤部分が下眼瞼結膜にあたることないと考えられるからである。
【００１２】
例えば、アミノ基含有の（メタ）アクリレートまたは（メタ）アクリルアミドまたはビニルエーテル、および／または、その四級塩と、ビニルアミド化合物を必須成分とする共重合体を主成分とする接着剤９である。
この積層体１を収納する容器１１は、プラスチック製で茶色で半透明に着色された遮光性のものである。この容器１１の上面中央に設けられた隙間１３から、一枚のシート３の後端側が露出し突出されており、この後端を指１４で引っ張って取り出すと、このシート３の先端側に接着した状態で次のシート３Ａの後端側が引き出される。この引き出しが確実になされるように、隙間１３の幅、シート３，３Ａの柔軟性、接着剤９の強さ、シート３と隙間１３の下縁部１５の摩擦の強さなどを調整する。
【００１３】
遮光性の容器１１は、印鑑ケース様の外ケース１７の中に固定される。外ケース１７には、容器１１の上半分を露出させる開閉蓋１９が設けられる。開閉蓋１９の開閉は、印鑑ケースの場合と同様に、開閉蓋１９と外ケース本体とに設けられた両つまみ金具２１、２２の先端が、この金具２１、２２の弾性により、各先端部の凹凸形状による嵌合を行うことで、なされる。
【００１４】
（実施形態の作用）
従来のフルオ紙に相当するシート３を一枚ずつ取り出すには、まず、外ケース１７の開閉蓋１９をつまみ金具２１、２２をひねることで開ける。露出した容器１１の上面中央に設けられた隙間１３から、突出している一枚のシート３の後端側（図２）をつまみ、引っ張ると、このシート３の先端側に接着した状態で次のシート３Ａの後端側も引き出され始め、引っ張る力により接着部分は剥離しつつ、次のシート３Ａの後端側は湾曲した状態で隙間１３から露出する（図３）。さらに引っ張ると、次のシート３Ａの後端側は隙間１３から完全に引き出され（図１（Ａ））、次のシート３Ａの姿勢が変わるので、引っ張る力はほとんど剥離に使われ、次のシート３Ａの引き出しは止まる。剥離が完全になされると、一枚のシート３の後端側が突出している状態（図２とは突出方向のみが異なる）に戻る。開閉蓋１９を押下げるとつまみ金具２１、２２が嵌合して閉じる。
【００１５】
（実施形態の効果）
以上説明したように、フルオレセインナトリウムを付着させた部分から、使用中に瞼に接触しうる距離７以上離れた位置に、所定幅だけ剥離可能な接着剤９を塗布したことで、従来の付箋紙の技術を利用してフルオ紙を一枚ずつ取り出す作業が容易におこなえ、重なって取れてしまうことを防止できる。
【００１６】
また、接着剤９は、人体に無害の成分からなるものを使用することで、有害な接着剤９が涙液に溶け出す可能性を、より無くすことができる。
また、印鑑ケース様の開閉蓋１９を有することで、開閉が容易であり、外部から容器上面中央の隙間１３への埃の侵入を防げ、従来のようなネジ式の蓋を開閉する手間を減少できうる。
（他の実施形態）
以上の実施形態では、積層体１を構成するシート３は、プラスチック製であったが、他の実施形態では疎水性の紙のシート３でも良い。
また、以上の実施形態では、積層体１を構成するのは、小さなフルオレセインナトリウム染色紙５を貼り付けシート３であったが、他の実施形態では、図１（Ｃ）に示すように、フルオレセインナトリウム染色紙３１そのものであってもよい。この場合には、この紙３１に涙液が滲み込むので、フルオレセインナトリウム３３と接着剤３５と十分な距離３７を置く。
【００１７】
すなわち、先端付近にフルオレセインナトリウム３３を付着させたフルオレセインナトリウム染色紙３１を、先端と後端を交互にして複数枚を積層して積層体１を構成する。この積層をおこなうために、フルオレセインナトリウム染色紙３１の先端付近の付着部分から、使用中に涙液が滲み込んで到達する距離（例えば１４ｍｍ）３７以上離れた位置に、所定幅だけ接着剤３５を塗布する。
【００１８】
また、以上の接着剤３５は、人体に無害の成分からなるものを使用することができる。
また、接着剤３５として人体に無害の成分からなるものを使用する場合には、フルオレセインナトリウム３３を付着させた部分から接着剤３５を塗布する位置があまり離れていなくてもかまわない。
すなわち図１（Ｂ）を参考にして、フルオレセインナトリウム３３を付着させたフルオレセインナトリウム染色紙５を先端付近に貼り付けた疎水性のシート３を、貼付部分を下にし、先端と後端を交互にして複数枚を積層した積層体１を構成し、積層をおこなうために、先端付近のフルオレセインナトリウム染色紙５からある程度離れた位置に所定幅だけ、人体に無害の成分からなる剥離可能な接着剤９を塗布することができる。
【００１９】
あるいは図１（Ｃ）を参考にして、先端付近にフルオレセインナトリウムを付着させたフルオレセインナトリウム染色紙３１を、先端と後端を交互にして複数枚を積層して積層体１を構成し、積層をおこなうために、フルオレセインナトリウム染色紙５の先端付近の付着部分からある程度離れた位置に所定幅だけ、人体に無害の成分からなる剥離可能な接着剤３５を塗布することができる。
【００２０】
さらに、他の実施形態では、容器１１の底に、積層体１全体を支えるバネ体を設けることで、積層体１を構成するシート３と、又はフルオレセインナトリウム染色紙３１と、容器１１の隙間１３の下縁部の摩擦の強さを略一定にでき、シート３、又はフルオレセインナトリウム染色紙３１の枚数が少なくなっても、安定して、一枚ずつ取り出すことができる。
【００２１】
【発明の効果】
以上説明したように、第一、第二、第三、第四、第五、又は第六発明によれば、フルオレセインナトリウムを付着させた部分から離れた位置に剥離可能な接着剤を塗布することで、従来の付箋紙の技術を利用してフルオ紙を一枚ずつ取り出す作業が容易におこなえ、重なって取れてしまうことを防止できる。
【００２２】
また、第一発明によれば、さらに、シートにフルオレセインナトリウム染色紙を貼り付けた貼付部分から、使用中に瞼に接触しうる距離以上離れた位置に、接着剤を塗布したので、有害な接着剤が涙液に溶け出す可能性を問題がない程度までに低くできる。
【００２３】
また、第二発明によれば、さらに、フルオレセインナトリウム染色紙にフルオレセインナトリウムを付着させた付着部分から、使用中に涙液が滲み込んで到達する距離以上離れた位置に、接着剤を塗布したので、有害な接着剤が涙液に溶け出す可能性を問題がない程度までに低くできる。
【００２４】
また、第三、第四、又は第五発明によれば、さらに、接着剤が人体に無害の成分からなることとすることで、有害な接着剤が涙液に溶け出す可能性を無くすことができる。
また、第六発明によれば、さらに、開閉蓋を有することで、外部から容器上面中央の隙間への埃の侵入を防げ、従来のようなネジ式の蓋を開閉する手間を減少できうる。
【図面の簡単な説明】
【図１】（Ａ）はこの発明の一実施形態の作用を説明する要部の断面図、（Ｂ）は（Ａ）の積層体を構成する一枚のシートを示す斜視図、（Ｃ）は他の実施形態の積層体を構成する一枚のフルオレセインナトリウム染色紙を示す斜視図である。
【図２】図１（Ａ）の容器を中に固定した外容器全体の斜視図である。
【図３】図１（Ａ）の動作を説明する図である。
【符号の説明】
１…積層体、３…シート、５…フルオレセインナトリウム染色紙、７…距離、９…接着剤、１１…容器、１３…隙間、１５…次のシート、１７…外ケース、１９…開閉蓋、２１、２２…つまみ金具。
【図１】
0003662570.tif 000002
【図２】
0003662570.tif 000003
【図３】
0003662570.tif 000004